(57)【特許請求の範囲】
【請求項１】
食器の収容に適した食器用の収容カゴと、調理器具の収容に適した調理器具用の収容カゴとを備え、これら収容カゴを洗浄槽に選択的に装着可能とした食器洗浄乾燥機であって、前記各収納カゴは、食器や調理器具を立て掛ける複数の支持ピンを基材上に配列した数種類の支持枠材を組み付けてなり、前記支持ピンのうちの一部又は全部は、棒状部と、その棒状部の根元部分に一体に取付けた球形部からなり、前記球形部を、前記基材の上面に形成した略球面状の嵌合孔に圧入させることで、前記球形部を中心として前後左右に起倒可能としたことを特徴とする食器洗浄乾燥機。
【請求項２】
前記支持枠材のうちの一部又は全部を取り外し可能とした請求項１記載の食器洗浄乾燥機。
【請求項３】
１又は複数の支持枠材において、一部又は全部の支持ピンを着脱可能とした請求項１又は２記載の食器洗浄乾燥機。
【発明の詳細な説明】
【０００１】
【発明の属する技術分野】
この発明は、食器や調理器具を洗浄、乾燥する食器洗浄乾燥機に関する。
【０００２】
【従来の技術】
一般に、食器洗浄乾燥機では、食器や調理器具を収容した収容カゴを洗浄槽にセットして、運転を開始すると、洗浄槽内に洗浄水が噴射されて、洗浄が行われる。そして、洗浄後には、洗浄槽内に温風が吹き出して、乾燥が行われるようになっている。
【０００３】
【発明が解決しようとする課題】
しかしながら、従来の食器洗浄乾燥機の収納カゴは、食器等を立て掛ける複数の支持ピンが固定されていて、その配置や間隔が決まっているので、大きさや形状の異なる様々な食器や調理器具を効率良く収容することが困難で、また深底のものは収容し難いといったように、収容する食器や調理器具の種類も限定されることがあり、自由度の低いカゴ形状となっていた。
【０００４】
しかも、図１３に示すように、収容カゴ(１)にフライパンや鍋類等の大型の調理器具(２)(２)を収容する場合には、複数の支持ピン(３)(３)…に被せるようにしていたので、場所をとって収容効率を悪くしていた。
【０００５】
さらに、１つの収容カゴを使用していて、しかも洗浄から乾燥までの１回の運転時間も約７０分間と長いことから、調理から食事、後片づけに至る食生活の流れに合わせた効率の良い作業を行い難かった。
【０００６】
そこで、この発明は、上記の不具合を解消して、大きさや形状の異なる様々な食器や調理器具を、簡単に効率良く収容することができる作業性に優れた食器洗浄乾燥機の提供を目的とする。
【０００７】
【課題を解決するための手段】
上記の課題を解決するため、この発明の食器洗浄乾燥機は、食器の収容に適した食器用の収容カゴと、調理器具の収容に適した調理器具用の収容カゴとを備え、これら収容カゴを洗浄槽に選択的に装着可能とした食器洗浄乾燥機であって、前記各収納カゴは、食器や調理器具を立て掛ける複数の支持ピンを基材上に配列した数種類の支持枠材を組み付けてなり、前記支持ピンのうちの一部又は全部は、棒状部と、その棒状部の根元部分に一体に取付けた球形部からなり、前記球形部を、前記基材の上面に形成した略球面状の嵌合孔に圧入させることで、前記球形部を中心として前後左右に起倒可能としたことを特徴とする。
【０００８】
前記支持枠材のうちの一部又は全部を取り外し可能としてある。
【０００９】
また、１又は複数の支持枠材において、一部又は全部の支持ピンを着脱可能としている。
【００１０】
【発明の実施の形態】
以下、この発明の実施形態を図面に基づいて詳細に説明する。この発明の一実施形態に係る食器洗浄乾燥機(10)は、図１２に示すように、システムキッチン(11)に組み込まれた引き出し式のものである。
【００１１】
そして、この食器洗浄乾燥機(10)の洗浄槽(15)内には、図１及び図２に示すような食器(16)(16)…の収容に適した食器用の収容カゴ(17)と、図３及び図４に示すような調理器具(18)(18)…の収容に適した調理器具用の収容カゴ(19)とが選択的に装着可能となっている。なお、図１２中、(12)はワークトップ、(13)は調理器具や常備品等を収納する引き出しである。
【００１２】
食器用の収納カゴ(17)は、図１に示すように、数種類の支持枠材(20)〜(24)を組み付けてなり、さらにコップ類を載せる折り畳み式の網棚(25)と、箸やスプーン等の小物を入れる小物入れ(26)とを備えている。
【００１３】
そして、この収容カゴ(17)の支持枠材(20)〜(24)のうち、支持枠材(22)(23)は取り外し可能となっており、別のタイプの支持枠材に交換したり、取り外した後の空間部に大型の食器(16)(16)…を収容する等の使い方ができるようになっている。
【００１４】
各支持枠材(20)〜(24)は、洗浄槽(15)の底部を這うようにして、横方向に沿って互いに平行に延びる一対の基材(30)(30)と、これら基材(30)(30)から立ち上がって、基材(30)(30)上に跨って載せた食器(16)(16)…を立て掛ける複数の支持ピン(31)(31)…とからなる。なお、取り外し可能な支持枠材(22)(23)においては、一対の基材(30)(30)が連結材(32)で連結されている。
【００１５】
支持ピン(31)(31)…は、一方の基材(30)側と他方の基材(30)側とが相対するようにして、各基材(30)(30)上にほぼ等間隔に配列されている。図５及び図６は、支持ピン(31)(31)…の取付け構造を示している。各支持ピン(31)は、棒状部(34)と、その棒状部(34)の根元部分に一体に取り付けた球形部(35)とからなり、その球形部(35)を角棒状の基材(30)の上面に形成した略球面状の嵌合孔(36)に圧入することで、基材(30)に取り付けられている。なお、棒状部(34)と球形部(35)とは、材質を異ならしめており、特に球形部(35)は、比較的軟質の材料からなっていて伸縮性を有し、圧入時に変形しながら嵌合孔(36)に嵌り込み、嵌り込んだ後に嵌合孔(36)の孔壁に圧接するようになっている。
【００１６】
この取付け状態において、食器(16)(16)…を立て掛けただけでは支持ピン(31)は動くことはないが、それよりも大きな力をかけると、球形部(35)を中心として支持ピン(31)が前後左右に起倒して、その傾き角を調節することができる。また、一定以上の力で支持ピン(31)を引っ張ると、支持ピン(31)を基材(30)から引く抜くことができる。すなわち、支持ピン(31)(31)…は、基材(30)(30)に着脱可能に取り付けられている。
【００１７】
これにより、例えば図７に示すように、支持ピン(31)(31)…の傾きを変えたり、図８に示すように、相対する支持ピン(31)(31)を開閉することができる。また、支持ピン(31)(31)…を部分的に取り外すことで、隣接する支持ピン(31)(31)の間隔を変えたり、長さや形状の異なる支持ピン(31)(31)…に交換することもできる。
【００１８】
従って、使用者は、カゴ形状に合わせて食器(16)(16)…をセットするのではなく、支持ピン(31)(31)…を可動させることで直感的に食器(16)(16)…をセットすることができ、大きさや形状の異なる様々な食器(16)(16)…、さらには深底のものまでを簡単に効率良く収容することができる。
【００１９】
図９乃至図１１は、参考例としての支持枠材(20)〜(24)における支持ピンの取付け構造を示している。この取付け構造において、各支持ピン(40)は、棒状部(44)の根元部分に形成した略筒状の嵌合部(41)を、丸棒状の基材(42)に外嵌することで、基材(42)に取り付けられている。嵌合部(41)は、その下端部が軸方向に切り欠かれており、その開口部分(43)を基材(42)に沿って当てがうようにして、支持ピン(40)を押し込むことで、弾性変形しながら基材(42)に外嵌するようになっている。
【００２０】
また、基材(42)(42)…には、円環状の溝部(45)(45)…が間隔をあけて夫々形成され、これら溝部(45)(45)…のいずれかに嵌合部(41)の内周面に形成した突起(46)が嵌り込んで、支持ピン(40)の基材方向への移動が規制されている。
【００２１】
この取付け状態において、食器(16)(16)…を立て掛けただけでは支持ピン(40)は動くことはないが、それよりも大きな基材方向の力をかけると、嵌合部(41)の突起(46)が基材(40)の溝部(45)から抜け出して、嵌合部(41)が軸方向にスライドし、支持ピン(40)を基材(42)に沿って水平方向に移動させることができる。また、一定以上の力をかけると、基材(42)を中心として支持ピン(40)を回動させることができる。
【００２２】
これにより、隣接する支持ピン(40)(40)の間隔を変えたり、相対する支持ピン(40)(40)を開閉したり、さらには支持ピン(40)(40)…を部分的に取り外して、長さや形状の異なる支持ピン(40)(40)…に交換することもできる。従って、大きさや形状の異なる様々な食器(16)(16)…、さらには深底のものまでを簡単に効率良く収容することができる。
【００２３】
なお、すべての支持枠材(20)〜(24)の支持ピンを、必ずしも上記のように角度調整可能、水平移動可能、着脱可能に取り付ける必要はなく、一部の支持枠材においては支持ピンを固定したり、或いは１つの支持枠材のなかで一部の支持ピンを固定するようにしても良い。
【００２４】
調理器具用の収容カゴ(19)は、図３に示すように、数種類の支持枠材(50)〜(53)を組み付けてなる。そして、この収容カゴ(19)の支持枠材(50)〜(53)のうち、支持枠材(51)(52)は取り外し可能となっており、別のタイプの支持枠材に交換したり、取り外した後の空間部に大型の調理器具(18)(18)を収容する等の使い方ができるようになっている。
【００２５】
各支持枠材(50)〜(53)は、一対の基材(30)(30)と複数の支持ピン(31)(31)…とからなり、食器用の収容カゴ(17)の支持枠材(20)〜(24)と比較した場合、食器(16)(16)…よりも大型の調理器具(18)(18)…を収容する分、支持ピン(31)(31)…の本数は少なく、隣接する支持ピン(31)(31)間の間隔は大きくなっているが、支持ピン(31)(31)…の取付け構造は同様である。従って、調理器具用の収容カゴ(19)においても、大きさや形状の異なる様々な調理器具(18)(18)…、さらには深底のものまでを簡単に効率良く収容することができる。
【００２６】
また、上記の調理器具用の収容カゴ(19)においては、網棚や小物入れは設けられていないが、適宜設けるようにしても良い。
【００２７】
そして、このような種類の異なる２つの収容カゴ(17)(19)を備えた食器洗浄乾燥機(10)では、洗浄から乾燥までを行う約７０分間の標準コースと、乾燥を省いた洗浄のみを行う約１０分間の快速コースの２種類の運転コースが設定されている。
【００２８】
従って、調理器具(18)(18)…を使用して調理を行った後、盛り付けや食事の時間を利用して、調理器具(18)(18)…を調理器具用の収容カゴ(19)に収容して快速コースで素早く洗浄することで、食事と調理器具(18)(18)…の後片づけをほぼ並行して行うことができる。そして、食事後には、洗浄の終わった調理器具(18)(18)…を取り出して所定位置に戻し、収納カゴ(19)については例えばキッチン内のコンロ下側に設けた専用のカゴ置き場に移動させて、使用済みの食器(16)(16)…を収容カゴ(17)に収容して標準コースで洗浄するといった食生活の流れに合った効率の良い作業を行うことができる。
【００２９】
なお、この発明は、上記実施形態に限定されるものではなく、この発明の範囲内で上記実施形態に多くの修正及び変更を加え得ることは勿論である。例えば、この発明の食器洗浄乾燥機としては、上記実施形態のような引き出し式のものに限らず、例えば前倒し式或いは上開き式のものであっても良い。また、キッチンに組み込んだビルトイン型に限らず、卓上型のものであっても良い。
【００３０】
【発明の効果】
以上の説明から明らかなように、この発明の食器洗浄乾燥機では、食器用と調理器具用の２種類の収容カゴを使い分けることができるので、食器と調理器具を１つの収容カゴに同時に収容する従来と比べて、食器や調理器具を簡単にしかも効率良く収容して、使用性の向上を図ることができる。しかも、２種類の収容カゴを食生活の流れに合わせて効果的に使い分けて、食器や調理器具を洗浄することで、作業性の向上も図ることができる。
【００３１】
また、収容カゴにおいて、支持枠材を取り外すことができるので、カゴ内部の形状を適宜変えて、収納形態に幅を持たせることができる。
【００３２】
さらに、収容カゴの支持ピンが可動式や着脱式になっていることから、支持ピンの傾きや高さ、間隔等を自由に変えて、大きさや形状の異なる様々な食器や調理器具、さらには深底のものまでも簡単に効率良く収容することができるといった自由度の高いカゴ形状を実現できる。
【図面の簡単な説明】
【図１】  この発明の一実施形態に係る食器用の収容カゴを装着した食器洗浄乾燥機の内部構造を示す斜視図である。
【図２】  同じくその食器を収容した状態を示す斜視図である。
【図３】  調理器具用の収容カゴを装着した食器洗浄乾燥機の内部構造を示す斜視図である。
【図４】  同じくその調理器具を収容した状態を示す斜視図である。
【図５】  支持ピンの取付け構造を示す分解斜視図である。
【図６】  同じくその正面断面図である。
【図７】  支持ピンの動きを示す図である。
【図８】  支持ピンの動きを示す図である。
【図９】  参考例に係る支持ピンの取付け構造を示す図である。
【図１０】  同じくその正面断面図である。
【図１１】  同じくその側断面図である。
【図１２】  食器洗浄乾燥機がビルトインされたシステムキッチンの正面図である。
【図１３】  従来の食器洗浄乾燥機における食器や調理器具を収容した状態を示す斜視図である。
【符号の説明】
(10)  食器洗浄乾燥機
(15)  洗浄槽
(16)  食器
(17)  食器用の収容カゴ
(18)  調理器具
(19)  調理器具用の収容カゴ
(20)〜(24)(50)〜(53)  支持枠材
(30)  基材
(31)  支持ピン
(34)  棒状部
(35)  球形部  
(36)  嵌合孔  
【図１】
0004012703.tif 000002
【図２】
0004012703.tif 000003
【図３】
0004012703.tif 000004
【図４】
0004012703.tif 000005
【図５】
0004012703.tif 000006
【図６】
0004012703.tif 000007
【図７】
0004012703.tif 000008
【図８】
0004012703.tif 000009
【図９】
0004012703.tif 000010
【図１０】
0004012703.tif 000011
【図１１】
0004012703.tif 000012
【図１２】
0004012703.tif 000013
【図１３】
0004012703.tif 000014